(57)【要約】【課題】媒体を読み取る機能と、紙片を発行する機能とを有し、制御装置の制御の下、媒体の読み取り結果を反映した画像が記録された紙片を発行可能な複合処理装置について、紙片の再発行の指示があった場合に、当該再発行を迅速に行うようにする。【解決手段】複合処理装置１の紙片発行制御部７０ａは、第１バッファー７７ａへの画像データの展開に応じて、第２バッファー７７ｂに、画像データをコピーし、紙片の再発行の指示があった場合、第２バッファー７７ｂにコピーされた画像データに基づいて、サーマルプリンターユニット６０に感熱ロール紙に画像を記録させ、感熱ロール紙を切断させて紙片を再発行させる。【選択図】図３
2013073500.tif 000002
【特許請求の範囲】
【請求項１】
制御装置に接続可能な複合処理装置であり、
媒体を搬送する搬送部と
前記搬送部により搬送される前記媒体を読み取り、読み取り結果を前記制御装置に出力する読取部と、
記録媒体に画像を記録し、前記記録媒体を切断することにより紙片を発行する紙片発行部と、
前記制御装置から、前記読取部の読み取り結果を反映した画像が記録される前記紙片の発行を指示する制御コマンドを受信する受信部と、
前記受信部により受信した前記制御コマンドに基づいて、第１バッファーに画像データを展開し、展開した前記画像データに基づいて、前記紙片発行部により前記記録媒体に画像を記録させ、前記記録媒体を切断させて前記紙片を発行させる紙片発行制御部と、を備え、
前記紙片発行制御部は、
前記第１バッファーへの前記画像データの展開に応じて、第２バッファーに、前記第１バッファーに展開された前記画像データをコピーし、
前記紙片の再発行の指示があった場合、前記第２バッファーにコピーされた前記画像データに基づいて、前記紙片発行部により前記記録媒体に画像を記録させ、前記記録媒体を切断させて前記紙片を再発行させることを特徴とする複合処理装置。
【請求項２】
前記制御コマンドには、前記記録媒体の切断を指示するカットコマンドが含まれ、
前記紙片発行制御部は、
前記受信部により前記制御装置から前記制御コマンドの受信を開始した後、前記カットコマンドに基づいて前記記録媒体の切断が行われるまでに、前記第１バッファーに展開された前記画像データを、１つの前記紙片に記録すべき前記画像データとして前記第２バッファーにコピーし、
前記紙片の再発行の指示があった場合、
１つの前記紙片に記録すべき画像の前記画像データとして前記第２バッファーにコピーされた前記画像データに基づいて、前記紙片発行部により前記記録媒体に記録させることを特徴とする請求項１に記載の複合処理装置。
【請求項３】
前記紙片発行制御部は、
前記第２バッファーにコピーする前記画像データについて、再発行される前記紙片に記録されることを前提とした所定の加工を行うことを特徴とする請求項１又は２に記載の複合処理装置。
【請求項４】
指示入力を行うための１又は複数のスイッチを備え、
１又は複数の前記スイッチが所定の態様で操作することにより、前記紙片の再発行の指示可能に構成されていることを特徴とする請求項１ないし３のいずれかに記載の複合処理装置。
【請求項５】
制御装置に接続可能に構成され、媒体を搬送する搬送部と、前記搬送部により搬送される前記媒体を読み取り、読み取り結果を前記制御装置に出力する読取部と、記録媒体に画像を記録し、前記記録媒体を切断することにより紙片を発行する紙片発行部と、を備える複合処理装置の制御方法であって、
前記制御装置から、前記読取部の読み取り結果を反映した画像が記録された前記紙片の発行を指示する制御コマンドを受信し、
受信した前記制御コマンドに基づいて、第１バッファーに画像データを展開し、展開した前記画像データに基づいて、前記紙片発行部により前記記録媒体に画像を記録させ、前記記録媒体を切断させて前記紙片を発行させると共に、
前記第１バッファーへの前記画像データの展開に応じて、第２バッファーに、前記第１バッファーに展開された前記画像データをコピーし、
前記紙片の再発行の指示があった場合、前記第２バッファーにコピーされた前記画像データに基づいて、前記紙片発行部に前記記録媒体に画像を記録させ、前記記録媒体を切断させて前記紙片を再発行させることを特徴とする複合処理装置の制御方法。
【請求項６】
制御装置に接続可能に構成され、媒体を搬送する搬送部と、前記搬送部により搬送される前記媒体を読み取り、読み取り結果を前記制御装置に出力する読取部と、記録媒体に画像を記録し、前記記録媒体を切断することにより紙片を発行する紙片発行部と、を備える複合処理装置の各部を制御する制御部により実行されるプログラムであって、
前記制御部を、
前記制御装置から受信した前記読取部の読み取り結果を反映した画像が記録された前記紙片の発行を指示する制御コマンドに基づいて、第１バッファーに画像データを展開し、展開した前記画像データに基づいて、前記紙片発行部により前記記録媒体に画像を記録させ、前記記録媒体を切断させて前記紙片を発行させると共に、
前記第１バッファーへの前記画像データの展開に応じて、第２バッファーに、前記第１バッファーに展開された前記画像データをコピーし、
前記紙片の再発行の指示があった場合、前記第２バッファーにコピーされた前記画像データに基づいて、前記紙片発行部に前記記録媒体に画像を記録させ、前記記録媒体を切断させて前記紙片を再発行させる紙片発行制御部として機能させることを特徴とするプログラム。
【発明の詳細な説明】
【技術分野】
【０００１】
本発明は、制御装置に接続され、媒体を処理し、紙片を発行する複合処理装置、当該複合処理装置の制御方法、及び、当該複合処理装置を制御するためのプログラムに関する。
【背景技術】
【０００２】
従来、小切手等の媒体を搬送すると共に、搬送中、媒体を磁気的、光学的に読み取る媒体処理装置が知られている（例えば、特許文献１参照）。
この種の媒体処理装置は、一般に、ホストコンピューター等の制御装置に接続され、媒体の読み取り結果は、制御装置に出力され、制御装置側で適切な処理が行われる。
【先行技術文献】
【特許文献】
【０００３】
【特許文献１】特開２００２−２５５３９３号公報
【発明の概要】
【発明が解決しようとする課題】
【０００４】
上述した媒体処理装置のように媒体を読み取る一連の処理において、媒体の読み取りに関する情報を記録した紙片等を発行し、発行した紙片を必要に応じて顧客に引き渡し、また、保管する場合がある。紙片としては、例えば、媒体の読み取りが終了したことを証明する情報や、処理した媒体のイメージ等が記録されたレシート等がある。そして、このような紙片が一度発行された後、当該紙片を受け取る者の要望、あるいは、その他の理由により、当該紙片と同等の内容の情報が記録された紙片を再発行する場合がある。
制御装置の制御の下、媒体を読み取る機能と、紙片を発行する機能とを有し、媒体の読み取り結果を反映した画像が記録された紙片を発行可能な複合処理装置では、制御装置から紙片の再発行に係る制御コマンドを取得することにより、紙片の再発行が可能であるが、制御装置の動作状況、あるいは、制御装置との通信の状況等により迅速に紙片を発行できない場合がある。再発行の指示があった場合、制御装置の動作状況、あるいは制御装置との通信の状況等に影響されることなく、紙片の再発行を迅速に行うことができれば、商品としての価値が向上する。
本発明は、上述した事情に鑑みてなされたものであり、制御装置の制御の下、媒体を読み取る機能と、紙片を発行する機能とを有し、媒体の読み取り結果を反映した画像が記録された紙片を発行可能な複合処理装置について、紙片の再発行の指示があった場合に、当該再発行を迅速に行えるようにすることを目的とする。
【課題を解決するための手段】
【０００５】
上記目的を達成するために、本発明は、制御装置に接続可能な複合処理装置であり、媒体を搬送する搬送部と前記搬送部により搬送される前記媒体を読み取り、読み取り結果を前記制御装置に出力する読取部と、記録媒体に画像を記録し、前記記録媒体を切断することにより紙片を発行する紙片発行部と、前記制御装置から、前記読取部の読み取り結果を反映した画像が記録される前記紙片の発行を指示する制御コマンドを受信する受信部と、前記受信部により受信した前記制御コマンドに基づいて、第１バッファーに画像データを展開し、展開した前記画像データに基づいて、前記紙片発行部により前記記録媒体に画像を記録させ、前記記録媒体を切断させて前記紙片を発行させる紙片発行制御部と、を備え、前記紙片発行制御部は、前記第１バッファーへの前記画像データの展開に応じて、第２バッファーに、前記第１バッファーに展開された前記画像データをコピーし、前記紙片の再発行の指示があった場合、前記第２バッファーにコピーされた前記画像データに基づいて、前記紙片発行部により前記記録媒体に画像を記録させ、前記記録媒体を切断させて前記紙片を再発行させることを特徴とする。
この構成によれば、紙片の発行に際し、第１バッファーへの画像データの展開に応じて、第２バッファーに、第１バッファーに展開された画像データがコピーされ、紙片の再発行の指示があった場合、第２バッファーにコピーされた画像データに基づいて記録媒体に画像を記録し、記録媒体を切断して紙片を再発行する。このため、紙片の再発行にあたり、制御装置から紙片の再発行に係る制御コマンドを取得する必要が無く、制御装置との通信の状況等に影響されることなく迅速に紙片を発行可能である。
【０００６】
また、本発明は、前記制御コマンドには、前記記録媒体の切断を指示するカットコマンドが含まれ、前記紙片発行制御部は、前記受信部により前記制御装置から前記制御コマンドの受信を開始した後、前記カットコマンドに基づいて前記記録媒体の切断が行われるまでに、前記第１バッファーに展開された前記画像データを、１つの前記紙片に記録すべき前記画像データとして前記第２バッファーにコピーし、前記紙片の再発行の指示があった場合、１つの前記紙片に記録すべき画像の前記画像データとして前記第２バッファーにコピーされた前記画像データに基づいて、前記紙片発行部により前記記録媒体に記録させることを特徴とする。
この構成によれば、１つの紙片を発行するための制御コマンドにおける最後のコマンドが記録媒体の切断を指示するカットコマンドであるという特性を利用して、紙片ごとに、画像データを第２バッファーにコピーすることが可能となり、紙片の再発行に際し、記録すべき画像を過不足無く紙片に記録することが可能となる。
【０００７】
また、本発明は、前記紙片発行制御部は、前記第２バッファーにコピーする前記画像データについて、再発行される前記紙片に記録されることを前提とした所定の加工を行うことを特徴とする。
この構成によれば、第２バッファーにコピーされる画像データについて、再発行される紙片に記録されることを前提とした所定の加工が行われるため、再発行する紙片について、再発行されたものであることを認識できるような態様で画像を記録することが可能となる。
【０００８】
また、本発明は、指示入力を行うための１又は複数のスイッチを備え、１又は複数の前記スイッチが所定の態様で操作することにより、前記紙片の再発行の指示可能に構成されていることを特徴とする。
この構成によれば、再発行のための専用のスイッチを設けることなく、既存のスイッチを利用して再発行を指示できるようにすることができるため、製造コストを低減することができる。
【０００９】
また、上記目的を達成するために、本発明は、制御装置に接続可能に構成され、媒体を搬送する搬送部と、前記搬送部により搬送される前記媒体を読み取り、読み取り結果を前記制御装置に出力する読取部と、記録媒体に画像を記録し、前記記録媒体を切断することにより紙片を発行する紙片発行部と、を備える複合処理装置の制御方法であって、前記制御装置から、前記読取部の読み取り結果を反映した画像が記録された前記紙片の発行を指示する制御コマンドを受信し、受信した前記制御コマンドに基づいて、第１バッファーに画像データを展開し、展開した前記画像データに基づいて、前記紙片発行部により前記記録媒体に画像を記録させ、前記記録媒体を切断させて前記紙片を発行させると共に、前記第１バッファーへの前記画像データの展開に応じて、第２バッファーに、前記第１バッファーに展開された前記画像データをコピーし、前記紙片の再発行の指示があった場合、前記第２バッファーにコピーされた前記画像データに基づいて、前記紙片発行部に前記記録媒体に画像を記録させ、前記記録媒体を切断させて前記紙片を再発行させることを特徴とする。
この制御方法によれば、紙片の発行に際し、第１バッファーへの画像データの展開に応じて、第２バッファーに、第１バッファーに展開された画像データがコピーされ、紙片の再発行の指示があった場合、第２バッファーにコピーされた画像データに基づいて記録媒体に画像を記録し、記録媒体を切断して紙片を再発行する。このため、紙片の再発行にあたり、制御装置から紙片の再発行に係る制御コマンドを取得する必要が無く、制御装置との通信の状況等に影響されることなく迅速に紙片を発行可能である。
【００１０】
また、上記目的を達成するために、本発明は、制御装置に接続可能に構成され、媒体を搬送する搬送部と、前記搬送部により搬送される前記媒体を読み取り、読み取り結果を前記制御装置に出力する読取部と、記録媒体に画像を記録し、前記記録媒体を切断することにより紙片を発行する紙片発行部と、を備える複合処理装置の各部を制御する制御部により実行されるプログラムであって、前記制御部を、前記制御装置から受信した前記読取部の読み取り結果を反映した画像が記録された前記紙片の発行を指示する制御コマンドに基づいて、第１バッファーに画像データを展開し、展開した前記画像データに基づいて、前記紙片発行部により前記記録媒体に画像を記録させ、前記記録媒体を切断させて前記紙片を発行させると共に、前記第１バッファーへの前記画像データの展開に応じて、第２バッファーに、前記第１バッファーに展開された前記画像データをコピーし、前記紙片の再発行の指示があった場合、前記第２バッファーにコピーされた前記画像データに基づいて、前記紙片発行部に前記記録媒体に画像を記録させ、前記記録媒体を切断させて前記紙片を再発行させる紙片発行制御部として機能させることを特徴とする。
このプログラムを実行すれば、紙片の発行に際し、第１バッファーへの画像データの展開に応じて、第２バッファーに、第１バッファーに展開された画像データがコピーされ、紙片の再発行の指示があった場合、第２バッファーにコピーされた画像データに基づいて記録媒体に画像を記録し、記録媒体を切断して紙片を再発行する。このため、紙片の再発行にあたり、制御装置から紙片の再発行に係る制御コマンドを取得する必要が無く、制御装置との通信の状況等に影響されることなく迅速に紙片を発行可能である。
【発明の効果】
【００１１】
本発明によれば、媒体を読み取る機能と、紙片を発行する機能とを有し、制御装置の制御の下、媒体の読み取り結果を反映した画像が記録された紙片を発行可能な複合処理装置について、紙片の再発行の指示があった場合に、当該再発行を迅速に行えるようになる。
【図面の簡単な説明】
【００１２】
【図１】複合処理装置の外観斜視図である。
【図２】複合処理装置の内部構造を示す図である。
【図３】複合処理装置の機能的構成を示すブロック図である。
【図４】複合処理システムの動作を示すフローチャートである。
【図５】紙片、及び、紙片の発行に係る制御コマンドの一例を示す図である。
【図６】第１バッファー、及び、第２バッファーを模式的に示す図である。
【発明を実施するための形態】
【００１３】
以下、図面を参照して本発明の実施形態について説明する。
＜複合処理装置の構成＞
図１は、本実施の形態に係る複合処理装置１の外観斜視図である。
複合処理装置１は、読取対象媒体であるシート状の小切手４（媒体）や帳票類に対し、この読取対象物に記録された磁気インク文字の読み取り、読取対象物の両面の光学的読み取り、及び、当該読取対象物への画像の記録を行う装置である。また、複合処理装置１は、クレジットカード等のカード型の媒体に記録された磁気情報を読み取るリーダーとしての機能、及び、感熱ロール紙（記録媒体）に画像を記録して切断することにより、画像が記録された所定の紙片を発行する機能を備えている。
【００１４】
本実施形態では、読取対象物として小切手４を処理する場合を例に挙げて説明する。小切手４は、図１に示すように、所定の模様や装飾が施されたシートに金額、振出人、通し番号、サインなどが記録された帳票である。これら金額、振出人、通し番号、サインなどは表面４ａに記録される。小切手４の表面４ａには小切手４の長辺方向に延びる磁気インク文字列４ｃが形成されている。磁気インク文字列４ｃは、磁気インクで印刷された複数の磁気インク文字（ＭＩＣＲ文字）が並んだものであり、磁気的または光学的に読み取ることができる。
小切手４の裏面４ｂには裏書き欄が設けられている。この裏書き欄には、後述するインクジェットヘッド１０によって、裏書きに係る画像が記録される。小切手４の短辺方向及び長辺方向のサイズは規格化されているものの、多様な規格が存在するため、実際には様々なサイズがある。複合処理装置１では、一般的な小切手４のサイズをほぼ包含し得る最大サイズを規定し、この最大サイズ内の小切手４であれば処理できる。
【００１５】
複合処理装置１は、本体下部を覆う下部ケース１１、及び下部ケース１１に被せられるカバー１２からなる外装を有し、外装の内部に複合処理装置１の本体１３（図３）が収容されている。複合処理装置１の前面には、小切手４を挿入する挿入口１４が開口しており、挿入口１４の奥には複数の小切手４を積層して収納できるストッカー１５が設けられている。このストッカー１５は、前面側へ向かって引き出し自在に構成されており、ストッカー１５に収納すべき小切手４のサイズに応じてストッカー１５を引き出した上で、このストッカー１５に小切手４を収納させることが可能である。
また、カバー１２には、上面視で略Ｕ字形状に、小切手４の搬送路Ｗとなるスリット１８が形成されている。スリット１８は、上述したストッカー１５に連通すると共に、スリット１８は複合処理装置１の前面側に設けられたポケット１９に連通している。ストッカー１５に収納された小切手４は、後述するように１枚ずつ複合処理装置１の内部に取り込まれ、スリット１８を通る間に処理されて、処理後の小切手４はポケット１９に排出される。ポケット１９には複数の小切手４を収納することができる。
図１に示すように、ストッカー１５の側方には、磁気カードリーダーユニット２０が設けられている。磁気カードリーダーユニット２０は、カバー１２に形成されたカードスリット２１と、このカードスリット２１に対応して設けられたＭＣＲヘッド２２（図３）とを備え、カードスリット２１を通るカード類に磁気的に記録された情報をＭＣＲヘッド２２によって読み取る。
【００１６】
図２は、複合処理装置１の外装内部に収容されている本体１３の構成を示す平面図である。ストッカー１５の一側面にはホッパー２５が設けられている。このホッパー２５は、ホッパー駆動モーター２６（図３）により、図中矢印方向に回動可能に構成されており、ストッカー１５に貯留された小切手４を他方の側面側に付勢する。
ストッカー１５の他方の側面には、後述するＡＳＦ（Automatically Sheet Feeder）モーター２７（図３）により駆動されるピックアップローラー２８が配置されており、ホッパー２５がピックアップローラー２８側に回動すると、この回動に応じてストッカー１５内の小切手４のうち１枚がピックアップローラー２８に付勢され、当該ローラーに接触して、当該ローラーの回転に応じて搬送路Ｗに引き込まれる。
ストッカー１５の奥には、一対のローラーで構成されるＡＳＦローラー２９が配置されている。ＡＳＦローラー２９の２つのローラーは、搬送路Ｗの両側に配置され、一方は後述するＡＳＦモーター２７の動力により回転し、他方のローラーは従動ローラーである。ピックアップローラー２８に接した小切手４はＡＳＦローラー２９に挟まれて、スリット１８内を下流側へ搬送される。
【００１７】
ストッカー１５の所定の位置には、ＡＳＦ用紙検出器３１（図３）が設けられている。ＡＳＦ用紙検出器３１は、例えば透過型光センサーで構成され、ストッカー１５における小切手４の有無を検出する。
また、ストッカー１５において、ホッパー２５の待機位置には、ホッパー位置検出器３２（図３）が設けられている。ホッパー位置検出器３２は、例えば透過型光センサーで構成され、ホッパー２５が待機位置に位置しているか否かを検出する。
ＡＳＦローラー２９の下流側には、小切手４の表面４ａに接して磁気インク文字列４ｃ（図１）を磁気的に読み取るＭＩＣＲ（Magnetic Ink Character Recognition）ヘッド３５が配置されている。ＭＩＣＲヘッド３５には、ＭＩＣＲローラー３６が対向配置される。ＭＩＣＲローラー３６はＭＩＣＲヘッド３５側に付勢されており、小切手４をＭＩＣＲヘッド３５に押しつけながら回転して、小切手４を、ＭＩＣＲ文字の読み取りに適した定速で搬送する。ＭＩＣＲヘッド３５の上流側には、ＡＳＦローラー２９により繰り出された小切手４をＭＩＣＲヘッド３５に案内する、一対のローラーからなるアシストローラー３７が配置されている。
【００１８】
また、搬送路Ｗ上においてアシストローラー３７とＭＩＣＲヘッド３５との間には、用紙長検出器３８が配置されている。用紙長検出器３８は、例えば反射型光センサーで構成され、搬送路Ｗ上を通る小切手４の検出位置における有無を検出することにより、小切手４の先端及び後端を検出する。用紙長検出器３８の検出値は後述する制御部７０により取得され、この検出値の変化に基づいて小切手４の長さが求められる。
搬送路Ｗ上でＭＩＣＲヘッド３５の下流側には、搬送路Ｗを挟んで対向する一対のローラーを有する第１搬送ローラー４０が設けられ、さらに、この第１搬送ローラー４０の下流側には第２搬送ローラー４１が設けられている。これら第１搬送ローラー４０、及び、第２搬送ローラー４１は、搬送モーター４２（図３）によって回転駆動されるローラーであり、これらローラーによって小切手４はインクジェットプリンターユニット４４へ搬送される。
【００１９】
インクジェットプリンターユニット４４は、インクジェットヘッド１０を備えている。インクジェットヘッド１０は、本体１３の前部に収容されているインクカートリッジ４５からインクの供給を受けて、小切手４にインクを吐出するインクジェット方式の記録ヘッドである。このインクジェットヘッド１０は、いわゆるラインインクジェットヘッドであり、小切手４に対する記録の際は、一定の速度で搬送される小切手４の裏面４ｂに対して、固定された状態のインクジェットヘッド１０からインクが吐出されて、画像が記録される。この小切手４の裏面４ｂに記録される画像は、いわゆる裏書きと呼ばれる文字や記号等である。
インクジェットヘッド１０の上流側であって、インクジェットヘッド１０と、第２搬送ローラー４１との間には、中間検出器４６が設けられている。中間検出器４６は、例えば反射型光センサーで構成され、検出位置における小切手４の有無を検出する。
【００２０】
インクジェットヘッド１０の下流には、小切手４を光学的に読み取るＣＩＳ（Contact Image Sensor）ユニットが配置されている。このＣＩＳユニットは、小切手４の表面４ａを読み取る表面ＣＩＳユニット４７と、裏面４ｂを読み取る裏面ＣＩＳユニット４８とを有し、小切手４の両面を光学的に読み取り可能である。表面ＣＩＳユニット４７と裏面ＣＩＳユニット４８は搬送路Ｗを挟んで対向配置されており、これらユニットの上流側には第１ＣＩＳローラー５０が配置され、また、下流側には第２ＣＩＳローラー５１が配置されている。これら第１ＣＩＳローラー５０、及び、第２ＣＩＳローラー５１は、搬送モーター４２によって回転駆動されるローラーであり、これらローラーによってＣＩＳユニットによって読み取り中の小切手４が安定して搬送される。
第２ＣＩＳローラー５１の下流には、排出検出器５２が設けられている。排出検出器５２は、例えば反射型光センサーで構成され、検出位置における小切手４の有無を検出する。
【００２１】
表面ＣＩＳユニット４７、裏面ＣＩＳユニット４８の下流側には上述したポケット１９が設けられている。ポケット１９は、メインポケット１９ａと、サブポケット１９ｂとに区画されており、スリット１８が分岐して、それぞれのポケット１９に連通している。これらメインポケット１９ａ、及び、サブポケット１９ｂには、それぞれ複数の小切手４を収納できる。
そして、スリット１８が分岐した位置には、小切手４を排出すべきポケット１９を、メインポケット１９ａとサブポケット１９ｂとのいずれかに切り替える切替板５４が配置されている。切替板５４は、メインポケット１９ａに連通する経路とサブポケット１９ｂに連通する経路のいずれか一方を塞ぐことで小切手４を他方に案内するガイドであり、切替板駆動モーター５５（図３）によって駆動される。切替板５４からメインポケット１９ａに繋がる経路には排出ローラー５６が設けられ、また、切替板５４からサブポケット１９ｂに繋がる経路には排出ローラー５７が設けられており、小切手４は、これらローラーにより切替板５４に案内されたいずれかのポケット１９にスムーズに排出される。
後述するように、複合処理装置１は、ＭＩＣＲヘッド３５による磁気インク文字列４ｃの読み取り結果に基づいて、小切手４が正しくセットされていると判別した場合は、小切手４をメインポケット１９ａに排出し、一方、小切手４が正しくセットされていないと判別した場合は、サブポケット１９ｂに排出する。
【００２２】
また、図１及び図２に示すように、複合処理装置１の中央部には、画像が記録された紙片を発行するサーマルプリンターユニット６０（紙片発行部）が設けられている。
図１に示すように、サーマルプリンターユニット６０は、ユニット本体の上部を覆うプリンターカバー６１を備えている。このプリンターカバー６１は、カバー１２に対して開閉自在に取り付けられており、プリンターカバー６１を開くと、感熱ロール紙を収容可能な空間であるロール紙収容部６２（図３）が露出し、感熱ロール紙の補充や交換が可能となる。プリンターカバー６１には、排紙口６３が形成されており、ロール紙収容部６２に収容された感熱ロール紙は、排紙口６３を介して、排出される。
サーマルプリンターユニット６０は、ロール紙収容部６２に収容した感熱ロール紙を繰り出して搬送路Ｗ上を搬送させるローラー状のプラテン（不図示）と、プラテンに対向配置されたサーマルヘッド６５（図３）と、搬送方向に対し直交する方向に感熱ロール紙を切断するカッターユニット６６とを備えている。紙片の発行に際し、サーマルプリンターユニット６０は、プラテンを駆動して感熱ロール紙を搬送方向に搬送しつつ、サーマルヘッド６５により感熱ロール紙に画像を記録し、カッターユニット６６によって所定の位置で感熱ロール紙を切断することにより、紙片を発行する。
【００２３】
図３は、複合処理装置１とホストコンピューター５（制御装置）とを接続して構成される複合処理システム８の機能的構成を示すブロック図である。
複合処理装置１は、複合処理装置１全体を制御する制御部７０と、インクジェットヘッド駆動回路７２と、モータードライバー７３と、読取制御回路７４と、センサー駆動回路７５と、インターフェイス部７６と、操作部７８と、を有し、これらの各部は相互に通信可能に接続されている。
【００２４】
制御部７０は、複合処理装置１の各部を中枢的に制御するものであり、接続されたフラッシュＲＯＭに記憶されている制御プログラムをＣＰＵにより読み出して実行することにより、複合処理装置１の各部を制御する。制御部７０は、紙片発行制御部７０ａを備えているが、これについては後述する。
制御部７０には、ＲＡＭ７７が接続されており、このＲＡＭ７７には、第１バッファー７７ａ、及び、第２バッファー７７ｂが形成されているが、これらについては後述する。
制御部７０は、インクジェットヘッド駆動回路７２を介してインクジェットヘッド１０に駆動電流を供給し、インクジェットヘッド１０からインクを吐出して小切手４への画像の記録を行う。
モータードライバー７３は、ホッパー駆動モーター２６に接続され、制御部７０の制御に従ってホッパー２５を回動させる。また、モータードライバー７３は、ＡＳＦモーター２７、及び、搬送モーター４２に接続され、これら各モーターに駆動電流や駆動パルスを出力して、制御部７０の制御に従いこれらモーターを動作させて、これらモーターに接続されたローラーを駆動する。
これら制御部７０や、モータードライバー７３、ホッパー駆動モーター２６、ホッパー２５、ＡＳＦモーター２７、搬送モーター４２、これらモーターに接続されたローラー、その他の機構、装置が協働して、小切手４（媒体）を搬送する搬送部として機能する。
また、モータードライバー７３は、切替板駆動モーター５５に接続され、制御部７０の制御の下当該モーターに駆動電流や駆動パルスを出力することによって切替板５４を移動させ、小切手４が排出されるポケット１９を、メインポケット１９ａ側、又は、サブポケット１９ｂ側に切り替える。
【００２５】
読取制御回路７４は、ＭＣＲヘッド２２、ＭＩＣＲヘッド３５、表面ＣＩＳユニット４７、及び、裏面ＣＩＳユニット４８に接続されている。
読取制御回路７４は、制御部７０の制御に従って、カードスリット２１（図１）にカード類が通される際にＭＣＲヘッド２２によって磁気情報を読み取らせ、ＭＣＲヘッド２２が出力する読取信号をデジタル化して制御部７０に出力する。
また、読取制御回路７４は、制御部７０の制御に従って、ＭＩＣＲヘッド３５によって磁気情報を読み取らせ、ＭＩＣＲヘッド３５が出力する読取信号をデジタル化して制御部７０に出力する。制御部７０は、ＭＩＣＲヘッド３５による読み取り結果に係るデータを、ホストコンピューター５に出力する。これら制御部７０や、読取制御回路７４、ＭＩＣＲヘッド３５、その他の機構、装置が協働して読取部として機能する。
また、読取制御回路７４は、制御部７０の制御に従って、表面ＣＩＳユニット４７及び裏面ＣＩＳユニット４８に、小切手４の表面４ａ及び裏面４ｂを読み取らせ、これらＣＩＳユニットが出力する読取信号をデジタル化して制御部７０に出力する。制御部７０は、これらＣＩＳユニットによる読み取り結果に係るデータを、ホストコンピューター５に出力する。これら制御部７０や、読取制御回路７４、表面ＣＩＳユニット４７、裏面ＣＩＳユニット４８、その他の機構、装置が協働して読取部として機能する。
【００２６】
センサー駆動回路７５は、ＡＳＦ用紙検出器３１、ホッパー位置検出器３２、用紙長検出器３８、中間検出器４６、及び、排出検出器５２に接続され、これらの各検出器に電流を供給して、所定周期で出力値を取得し、取得した出力値をデジタルデータに変換して制御部７０に出力する。
インターフェイス部７６は、ホストコンピューター５に対して有線または無線で接続され、制御部７０の制御に従って、ホストコンピューター５との間で制御データを含む各種データを送受信する。制御部７０、及び、インターフェイス部７６が協働して、ホストコンピューター５から制御コマンドを受信する受信部として機能する。
操作部７８は、複合処理装置１に設けられた各種スイッチに接続されており、スイッチに対する操作を検出し、制御部７０に出力する。スイッチには、少なくとも、上述したサーマルプリンターユニット６０に収容された感熱ロール紙を手動でフィードするための紙送りスイッチ７８ａと、インクジェットヘッド１０のクリーニングの実行を指示するためのクリーニングスイッチ７８ｂとがある。
【００２７】
制御部７０には、サーマルプリンターユニット６０が接続されている。
上述したようにサーマルプリンターユニット６０は、サーマルヘッド６５、及び、カッターユニット６６を備えており、制御部７０の紙片発行制御部７０ａは、サーマルプリンターユニット６０の各部を制御して、ロール紙収容部６２に収容した感熱ロール紙をプラテンにより搬送方向に搬送しつつ、サーマルヘッド６５により感熱ロール紙に画像を記録し、カッターユニット６６によって所定の位置で感熱ロール紙を切断することにより、紙片を発行する。
この紙片発行制御部７０ａの機能は、ＣＰＵが制御プログラムを読み出して実行する等ハードウェアとソフトウェアとの協働により実現される。
【００２８】
さて、本実施形態に係る複合処理装置１は、ストッカー１５に収納された複数の小切手４について、所定のタイミングで、順次、搬送路Ｗ上に繰り出し、搬送路Ｗ上に設けられた各装置による一連の処理を、各小切手４について連続して実行可能である。さらに、複合処理装置１は、処理対象となった小切手４について、ＭＩＣＲヘッド３５による読み取り、及び、ＣＩＳユニットによる読み取りの結果を反映した画像が記録された紙片を発行可能である。さらに、複合処理装置１は、紙片の発行後、当該紙片について再発行の指示があった場合に、当該紙片を再発行することが可能である。
以下、ある１枚の小切手４に対して一連の処理を実行し、当該一連の処理における読み取り結果に基づいて当該小切手４について紙片を発行し、再発行の指示に応じて紙片を再発行する場合における複合処理システム８の動作について説明する。
【００２９】
＜複合処理装置１の動作フロー＞
図４は、複合処理システム８の動作を示すフローチャートである。
図４において、（Ａ）は複合処理装置１の動作を示し、（Ｂ）はホストコンピューター５の動作を示している。
まず、ホストコンピューター５は、複合処理装置１に、小切手４に対する一連の処理を実行させる制御コマンドを出力する（ステップＳＢ１）。ここで出力された制御コマンドには、複合処理装置１に小切手４に対してステップＳＡ１〜ステップＳＡ８の一連の処理を行わせるために必要なコマンドが不足無く含まれているものとする。制御コマンドを生成し、出力する処理は、ホストコンピューター５にインストールされているデバイスドライバーの機能により行われる。
制御コマンドを受信すると（ステップＳＡ１）、複合処理装置１の制御部７０は、ホッパー位置検出器３２の検出値や、ＡＳＦ用紙検出器３１の検出値を監視しつつ、ホッパー駆動モーター２６や、ＡＳＦモーター２７を駆動して、ストッカー１５に収納された小切手４のうち１枚を搬送路Ｗに送り出して、小切手４の搬送を開始する（ステップＳＡ２）。
次いで、制御部７０は、用紙長検出器３８の検出値を監視することにより小切手４の位置を管理しつつ、ＭＩＣＲヘッド３５によって、小切手４の磁気インク文字列４ｃを読み取り、読み取り結果に係るデータをホストコンピューター５に出力する（ステップＳＡ３）。
これに応じて、ホストコンピューター５は、ＭＩＣＲヘッド３５による読み取り結果に係るデータを取得し（ステップＳＢ２）、取得したデータに基づいて、磁気インク文字認識を行う（ステップＳＢ３）。例えば、ホストコンピューター５は、受信したデータに基づいて、ＭＩＣＲヘッド３５により検出された検出信号が示す波形と、パターンマッチング用の基準波形とを照合し、小切手４の磁気インク文字列４ｃを構成する磁気インク文字のそれぞれについて認識を試みる。ホストコンピューター５は、磁気インク文字列４ｃを構成する磁気インク文字の全てについて認識ができた場合は、文字認識が成功したと判別し、一方、１つでも認識が失敗したものがある場合は、文字認識が失敗したと判別する。
【００３０】
ＭＩＣＲヘッド３５による読み取り後、複合処理装置１の制御部７０は、ＭＩＣＲヘッド３５の読み取り結果に基づいて、小切手４が上下裏表逆にセットされることなく、正しくセットされているか否かを判別する（ステップＳＡ４）。詳細には、紙片発行制御部７０ａは、磁気波形の検出の有無により小切手４が上下逆にセットされていないか否かを判別すると共に、磁気波形の状態により、小切手４が裏表逆にセットされていないか否かを判別する。
次いで、制御部７０は、ステップＳＡ４の判別結果に基づいて、切替板駆動モーター５５を駆動して、切替板５４を切り替える（ステップＳＡ５）。すなわち、制御部７０は、小切手４が正しくセットされている場合は、切替板５４をメインポケット１９ａ側に切り替え、一方、小切手４が正しくセットされていない場合は、切替板５４をサブポケット１９ｂ側に切り替える。なお、ステップＳＡ４、ＳＡ５の処理は、以下のステップＳＡ６〜ＳＡ７の処理と並行して行われてもよい。
【００３１】
次いで、制御部７０は、中間検出器４６の検出値を監視することにより小切手４の位置を監視しつつ、搬送モーター４２の駆動により各種モーターを駆動して小切手４を搬送し、インクジェットヘッド１０により、小切手４の裏面４ｂに所定の画像を記録する（ステップＳＡ６）。なお、小切手４が正しくセットされていない場合は、ステップＳＡ６において、画像の記録を行わないようにしてもよい。
次いで、制御部７０は、表面ＣＩＳユニット４７によって小切手４の表面４ａを光学的に読み取ると共に、裏面ＣＩＳユニット４８によって裏面４ｂを光学的に読み取り、読み取り結果に係るデータをホストコンピューター５に出力する（ステップＳＡ７）。なお、小切手４が正しくセットされていない場合は、ステップＳＡ７において、スキャンを行わないようにしてもよい。これに応じて、ホストコンピューター５は、ＣＩＳユニットによる読み取り結果に係るデータを取得する（ステップＳＢ４）。
次いで、制御部７０は、排出検出器５２の検出値を監視することにより小切手４が正常に排紙されたか否かを監視しつつ、搬送モーター４２を駆動することにより各種モーターを駆動して小切手４をポケット１９に排出する（ステップＳＡ８）。その際、小切手４は、切替板５４に導かれてメインポケット１９ａ、サブポケット１９ｂのうちＭＩＣＲヘッド３５の読み取り結果に応じた適切なポケット１９に排出される。
【００３２】
ステップＳＢ４においてＣＩＳユニットによる読み取り結果に係るデータを取得した後、ホストコンピューター５は、ステップＳＢ３の文字認識の結果、及び、ステップＳＢ４で取得したＣＩＳユニットによる読み取り結果に係るデータに基づいて、所定の紙片を発行させる制御コマンドを生成し、出力する（ステップＳＢ５）。
以下、ステップＳＢ５においてホストコンピューター５から複合処理装置１に出力される制御コマンドの内容、及び、当該制御コマンドに基づいて発行される紙片の内容について、具体例を挙げて説明する。
【００３３】
図５（ａ）は、ステップＳＢ５で生成し、出力された制御コマンドに基づいて発行される紙片の一例を示す図である。
図５（ａ）の例では、紙片の先頭には、紙片が発行された日付を示す日付情報８０が記録される。また、紙片において、日付情報８０の下方には、ステップＳＢ３における文字認識が成功したか否かを示す認識成否情報８１が記録される。また、紙片において、認識成否情報８１の下方には、小切手４の表面４ａのグラフィック画像である小切手表面画像８２が記録される。また、紙片において、小切手表面画像８２の下方には、紙片の下端部に定型的に記録される文字列である定型文字列８３が記録される。
このように、紙片には、認識成否情報８１、及び、小切手表面画像８２が記録されるが、これは、小切手４に対する処理の結果に基づいて、このような情報、画像が記録された紙片を発行し、必要に応じて、顧客に引き渡し、また、保管したいとする現実のニーズに応えたものである。
【００３４】
図５（ｂ）は、図５（ａ）に示す紙片を発行させる制御コマンドの内容を模式的に示す図である。
図５（ｂ）に示すように、制御コマンドには、日付情報８０を構成する文字列を記録することを指示する文字列記録指示コマンドＭＫ１が含まれている。この文字列記録指示コマンドＭＫ１には、文字列の記録を指示する命令コードのほか、日付情報８０を構成する文字列（本例では、文字列「２０１１／０１／０１」）が含まれている。複合処理装置１は、後述するように、文字列を構成する各文字を、対応するフォントデータに変換した上で、第１バッファー７７ａに展開し、感熱ロール紙に記録する。フォントデータとは、文字を、感熱ロール紙に記録可能な態様で表現する実データのことであり、ドットマトリックスフォントデータや、ベクトルフォントデータ、アウトラインフォントデータ、ビットマップフォントデータや、スケイラブルフォントデータ等が存在する。
さらに、制御コマンドには、文字列記録指示コマンドＭＫ１に続いて、文字列記録指示コマンドＭＫ２が含まれている。この文字列記録指示コマンドＭＫ２は、認識成否情報８１を構成する文字列を記録することを指示するコマンドである。ホストコンピューター５は、ステップＳＢ３の文字認識の結果に応じて、認識が成功したことを表す文字列、又は、認識が失敗したことを表す文字列のいずれかの記録を指示する文字列記録指示コマンドＭＫ２を生成し、制御コマンドに含める。
【００３５】
さらに、制御コマンドには、文字列記録指示コマンドＭＫ２に続いて、グラフィック画像記録指示コマンドＧＫ１が含まれている。
このグラフィック画像記録指示コマンドＧＫ１は、小切手表面画像８２の記録を指示する制御コマンドであり、小切手４の表面４ａの画像データ（ビットマップデータ等の、画素ごとに色に関する情報を保持するデータ。以下、「表面画像データ」という。）が含まれている。ホストコンピューター５は、ステップＳＢ４で取得した表面ＣＩＳユニット４７の読み取り結果に係るデータに、必要な画像処理を施して表面画像データを生成し、生成した表面画像データを含み、当該表面画像データに基づいて小切手表面画像８２させるグラフィック画像記録指示コマンドＧＫ１を生成し、制御コマンドに含める。
さらに、制御コマンドには、グラフィック画像記録指示コマンドＧＫ１に続いて、文字列記録指示コマンドＭＫ３が含まれている。この文字列記録指示コマンドＭＫ３は、定型文字列８３を構成する文字列を記録することを指示するコマンドである。
さらに、制御コマンドには、文字列記録指示コマンドＭＫ３に続いて、カットコマンドＣＣ１が含まれている。
カットコマンドＣＣ１は、感熱ロール紙の切断を指示するコマンドである。このコマンドに基づいて感熱ロール紙が切断されることにより、紙片が感熱ロール紙から切り離されて、紙片の発行が完了する。従って、１の紙片の発行を指示する制御コマンドに含まれるコマンドのうち、カットコマンドＣＣ１は、最後のコマンドである。
以下の説明では、ステップＳＢ５において、ホストコンピューター５から複合処理装置１に対して、図５（ａ）に示す紙片を発行するべく、図５（ｂ）に示す制御コマンドが出力されたものとする。
【００３６】
さて、前掲図４に戻り、ステップＳＢ５においてホストコンピューター５から出力された制御コマンドが入力されると（ステップＳＡ９）、複合処理装置１の制御部７０の紙片発行制御部７０ａは、制御コマンドのうち、文字列記録指示コマンドＭＫ１、ＭＫ２、グラフィック画像記録指示コマンドＧＫ１、文字列記録指示コマンドＭＫ３に基づいて、感熱ロール紙に順次画像を記録する（ステップＳＡ１０）。
以下、ステップＳＡ１０の動作について詳述する。
【００３７】
図６（ａ１）、（ａ２）は、ステップＳＡ１０の処理を説明するため、第１バッファー７７ａを模式的に示す図である。
以下の説明において、説明の便宜のため、動作の開始時点では、第１バッファー７７ａには、画像データが展開されていない状態であるものとする。
第１バッファー７７ａは、感熱ロール紙に記録すべき画像の画像データが展開される記憶領域であり、リングバッファーによって構成されている。第１バッファー７７ａをリングバッファーによって構成することにより、バッファーのオーバーフローのリスクを低減しつつ、バッファーへの画像データの展開、及び、展開した画像データに基づく画像の記録を順次実行していく本実施形態の記録方式に対応して、効率よく記憶領域を使用可能である。
ステップＳＡ１０において、紙片発行制御部７０ａは、文字列記録指示コマンドＭＫ１に基づいて、日付情報８０を構成する文字列をフォントデータに変換し、変換したフォントデータを、画像データとして領域Ａ１に展開する（図６（ａ１）参照。）。この領域Ａ１は、感熱ロール紙に記録される文字列、１行分に対応する記憶領域である。
次いで、紙片発行制御部７０ａは、領域Ａ１に展開した画像データに基づいて、サーマルヘッド６５の駆動回路を制御して、サーマルヘッド６５によって日付情報８０を感熱ロール紙に記録する。
次いで、紙片発行制御部７０ａは、文字列記録指示コマンドＭＫ２に基づいて、認識成否情報８１を構成する文字列のフォントデータを、画像データとして領域Ａ２（図６（ａ１）参照。）に展開し、展開した画像データに基づいて、サーマルヘッド６５により認識成否情報８１を感熱ロール紙に記録する。
次いで、紙片発行制御部７０ａは、グラフィック画像記録指示コマンドＧＫ１に基づいて、表面画像データを、領域Ａ３（図６（ａ１））に展開し、展開した表面画像データに基づいて、サーマルヘッド６５により小切手表面画像８２を感熱ロール紙に記録する。
ここで、第１バッファー７７ａは、領域Ａ３に表面画像データを展開した時点で、第１バッファー７７ａの記憶領域のサイズの関係上、次の画像データの書き込み開始アドレスが、第１バッファー７７ａの先頭アドレスへ移行するものとする。
次いで、紙片発行制御部７０ａは、文字列記録指示コマンドＭＫ３に基づいて、定型文字列８３を構成する文字列のフォントデータを、画像データとして領域Ａ４（領域Ａ１と共通する領域。図６（ａ２）参照。）に展開し、展開した画像データに基づいて、サーマルヘッド６５により定型文字列８３を感熱ロール紙に記録する。
このように、ステップＳＡ１０では、コマンドに基づく画像データの第１バッファー７７ａへの展開、展開した画像データに基づく画像の記録が、コマンドごとに順次行われる。
【００３８】
さて、前掲図４に戻り、ステップＳＡ１０において画像を記録した後、紙片発行制御部７０ａは、制御コマンドに含まれるカットコマンドＣＣ１に基づいて、感熱ロール紙を切断する（ステップＳＡ１１）。これにより、日付情報８０、認識成否情報８１、小切手表面画像８２、及び、定型文字列８３が記録された紙片の発行が完了する。
さらに、紙片発行制御部７０ａは、ステップＳＡ１０の動作と並行して、第１バッファー７７ａに展開された画像データの第２バッファー７７ｂへのコピーを実行する（ステップＳＡ１２）。
以下、ステップＳＡ１２の動作について詳述する。
【００３９】
図６（ｂ）は、ステップＳＡ１２の動作を説明するため、第２バッファー７７ｂを模式的に示す図である。
第２バッファー７７ｂは、１枚の紙片に記録される画像の画像データであって最大と想定されるものを展開できる程度に十分なサイズを有している。
ステップＳＡ１２において、紙片発行制御部７０ａは、コマンドに基づいて第１バッファー７７ａの所定の領域に画像データが展開されるごとに、展開されたデータを、順次、第２バッファー７７ｂにコピーする。より具体的には、第１バッファー７７ａの領域Ａ１に日付情報８０に係る画像データが展開されると、これに応じて、紙片発行制御部７０ａは、当該画像データを、第２バッファー７７ｂの領域Ａ１’（図６（ｂ）参照。）にコピーする。領域Ａ１’とは、領域Ａ１と同サイズの記憶領域であって、第２バッファー７７ｂの先頭に形成された記憶領域である。
さらに、紙片発行制御部７０ａは、第１バッファー７７ａの領域Ａ２に認識成否情報８１に係る画像データが展開されると、これに応じて、当該画像データを第２バッファー７７ｂの領域Ａ２’（図６（ｂ）参照。）にコピーする。この領域Ａ２’は、領域Ａ２と同サイズの記憶領域であって、領域Ａ１’に連続して形成された記憶領域である。
さらに、紙片発行制御部７０ａは、第１バッファー７７ａの領域Ａ３に小切手表面画像８２に係る画像データが展開されると、これに応じて、当該画像データを第２バッファー７７ｂの領域Ａ３’（図６（ｂ）参照。）にコピーする。この領域Ａ３’は、領域Ａ３と同サイズの記憶領域であって、領域Ａ２’に連続して形成された記憶領域である。
さらに、紙片発行制御部７０ａは、第１バッファー７７ａの領域Ａ４に定型文字列８３に係る画像データが展開されると、これに応じて、当該画像データを第２バッファー７７ｂの領域Ａ４’（図６（ｂ）参照。）にコピーする。この領域Ａ４’は、領域Ａ４と同サイズの記憶領域であって、領域Ａ３’に連続して形成された記憶領域である。
このように、ステップＳＡ１２において、紙片発行制御部７０ａは、第１バッファー７７ａに画像データが展開される度に、当該画像データを第２バッファー７７ｂにコピーする。その際、紙片発行制御部７０ａは、１の画像データをコピーした後、次の画像データをコピーする際、当該１の画像データがコピーされた領域に連続した次の領域に当該次の画像データをコピーする。
【００４０】
ステップＳＡ１２における画像データのコピー中、紙片発行制御部７０ａは、カットコマンドＣＣ１に基づく感熱ロール紙の切断が行われたか否かを監視する（ステップＳＡ１３）。
そして、紙片発行制御部７０ａは、カットコマンドＣＣ１に基づく感熱ロール紙の切断が行われた場合（ステップＳＡ１３：ＹＥＳ）、第２バッファー７７ｂへの画像データのコピーを停止し、処理手順をステップＳＡ１４へ移行する。
すなわち、紙片発行制御部７０ａは、ホストコンピューター５から紙片の発行に係る制御コマンドの受信を開始した後、カットコマンドＣＣ１に基づいて感熱ロール紙の切断が行われるまでに、第１バッファー７７ａに順次展開される画像データのそれぞれを、第２バッファー７７ｂにおいて各画像データが連続した一群の画像データとなるように、第２バッファーにコピーする。これにより、カットコマンドＣＣ１が１の紙片の発行に係る制御コマンドのうち、最後に実行されるコマンドであるということを利用して、１の紙片に記録される画像の画像データとして第１バッファー７７ａに展開された画像データを、過不足無く、第２バッファー７７ｂに連続してコピー可能である。
ステップＳＡ１４において、紙片発行制御部７０ａは、第２バッファー７７ｂの領域Ａ４’に続く領域に、再発行の紙片であることを示す文字列（図６の例では、文字列「ｒｅｐｒｉｎｔ」。）の画像データを展開する。すなわち、紙片発行制御部７０ａは、第２バッファー７７ｂに記憶されている画像データが示す画像について、再発行される紙片に記録されることを前提とした加工を行う。
ここで、後述するように、紙片の再発行の指示があった場合、第２バッファー７７ｂに記憶されている画像データに基づいて画像の記録が行われる。従って、再発行された紙片には、再発行の紙片であることを示す文字列が記録されることとなり、再発行した紙片について、それが再発行したものであることが認識できるようになる。
【００４１】
カットコマンドＣＣ１に基づく感熱ロール紙の切断が終了し（ステップＳＡ１１）、さらに、第２バッファー７７ｂに記憶された画像データの加工が終了すると（ステップＳＡ１４）、紙片発行制御部７０ａは、発行した紙片の再発行の指示が行われたか否かを監視する（ステップＳＡ１５）。本実施形態では、紙送りスイッチ７８ａと、クリーニングスイッチ７８ｂとを同時に操作することにより、再発行の指示を行える構成となっており、紙片発行制御部７０ａは、これらスイッチが同時に操作されたか否かを検出することにより、発行した紙片の再発行の指示が行われたか否かを監視する。
このように、既存のスイッチを所定の態様で操作することにより、再発行の指示が可能となっているため、再発行を指示するための専用のスイッチを設ける場合と比較して、製造コストが低減する。
【００４２】
紙片の再発行の指示が行われた場合（ステップＳＡ１５：ＹＥＳ）、紙片発行制御部７０ａは、紙片の再発行を行う（ステップＳＡ１６）。
詳述すると、紙片発行制御部７０ａは、第２バッファー７７ｂに記憶されている画像データに基づいて、サーマルヘッド６５を制御して、感熱ロール紙に画像を記録し、当該画像データに基づく画像の記録の全てが終了すると、カッターユニット６６を制御して、感熱ロール紙を切断し、これにより、先に発行した紙片と同等の内容を有する紙片を再発行する。ここで再発行された紙片には、ステップＳＡ１４における画像データの加工により、再発行の紙片であることを示す文字列が記録されている。
【００４３】
このように、本実施形態では、紙片の再発行の指示があった場合、ホストコンピューター５と協働し、ホストコンピューター５から複合処理装置１に対して、再び、紙片の発行に係る制御コマンドを出力するのではなく、紙片に記録すべき画像の画像データを第２バッファー７７ｂに記憶しておき、この第２バッファー７７ｂに記憶された画像データに基づいて画像を記録して紙片を発行する。このため、紙片の再発行に際し、ホストコンピューター５と通信する必要がなく、ホストコンピューター５との通信の状況にかかわらず、即時に、紙片を再発行することができる。特に、小切手４の処理後、ホストコンピューター５と複合処理装置１との通信を遮断した後に、紙片を再発行する必要が生じた場合、従来のやり方では、ソフトウェア的ハードウェア的にこれら装置を通信可能に接続した上で、ホストコンピューター５から複合処理装置１に対して、再び、紙片の発行に係る制御コマンドを出力する必要が生じ、実際に紙片が再発行されるまで非常に時間を要することとなるが、このような事態が発生することを防止できる。
また、第１バッファー７７ａに展開した画像データに基づいて紙片を再発行する構成とした場合、第１バッファー７７ａがオーバーフローのリスクの低減、及び、記憶効率の向上という観点からリングバッファーで構成されているため、第１バッファー７７ａにおける画像データの上書きに伴う画像データの欠損のリスクがあるが、本実施形態では、第１バッファー７７ａに画像データが展開される度に第２バッファー７７ｂにコピーし、再発行の際には、第２バッファー７７ｂにコピーした画像データに基づいて再発行のための画像の記録を行う構成としたため、このような画像データの欠損を確実に防止でき、発行した紙片と同等の内容を有する紙片を確実に再発行可能である。
【００４４】
なお、本実施形態では、１の小切手４についての紙片の発行後、次の小切手４に対する一連の処理が開始され、ステップＳＡ１０において、当該次の小切手４に係る画像の画像データの第１バッファー７７ａへの展開が開始されると、第２バッファー７７ｂはバッファークリアーされ、再び、先頭アドレスから画像データがコピーされる。従って、本実施形態では、直近に発行した紙片の再発行を行うことができ、それ以前に遡って紙片を再発行することはできないが、当該再発行の機能は、顧客の要望等、何らかの理由により紙片を即時に再発行することを想定した機能であるため、実務上問題はない。ただし、再発行用に複数のバッファーを設け、直近の紙片の前に発行した紙片を発行できるようにしてもよいことは勿論である。
【００４５】
以上説明したように、本実施形態によれば、紙片発行制御部７０ａは、第１バッファー７７ａへの画像データの展開に応じて、第２バッファー７７ｂに、第１バッファー７７ａに展開された画像データをコピーし、紙片の再発行の指示があった場合、第２バッファー７７ｂにコピーされた画像データに基づいて感熱ロール紙に画像を記録し、感熱ロール紙を切断して紙片を再発行する。
これによれば、紙片の再発行にあたり、ホストコンピューター５から紙片の再発行に係る制御コマンドを取得する必要が無く、ホストコンピューター５との通信の状況等に影響されることなく迅速に紙片を発行可能である。
【００４６】
また、本実施形態では、紙片発行制御部７０ａは、１の紙片の発行に係る制御コマンドの受信開始後、カットコマンドＣＣ１に基づく感熱ロール紙の切断までに第１バッファー７７ａに展開された画像データを、１つの紙片に記録すべき画像データとして第２バッファーに連続してコピーする。そして、紙片の再発行の指示があった場合、紙片発行制御部７０ａは、１つの紙片に記録すべき画像の画像データとして第２バッファー７７ｂにコピーされた画像データに基づいて、感熱ロール紙に記録する。
これによれば、１つの紙片を発行するための制御コマンドにおける最後のコマンドがカットコマンドＣＣ１であるという特性を利用して、紙片ごとに、画像データを第２バッファー７７ｂにコピーすることが可能となり、紙片の再発行に際し、記録すべき画像を過不足無く紙片に記録することが可能となる。
【００４７】
また、本実施形態では、紙片発行制御部７０ａは、第２バッファー７７ｂにコピーする画像データについて、再発行される紙片に記録されることを前提とした加工を行う。具体的には、第２バッファー７７ｂに１の紙片の画像に係る画像データの全てをコピーした後、さらに、連続して、再発行の紙片であることを示す文字列に画像データを展開する。
これにより、再発行する紙片について、再発行されたものであることを認識できるような態様で画像を記録することが可能となる。
【００４８】
また、本実施形態に係る複合処理装置１は、既存の紙送りスイッチ７８ａ、及び、クリーニングスイッチ７８ｂを同時に操作することにより、紙片の再発行の指示が可能である。
これによれば、再発行のための専用のスイッチを設けることなく、既存のスイッチを利用して再発行を指示できるようにすることができるため、製造コストを低減することができる。
【００４９】
なお、上述した実施の形態は、あくまでも本発明の一態様を示すものであり、本発明の範囲内で任意に変形および応用が可能である。
例えば、図５（ａ）を用いて、発行される紙片について具体的に例を挙げて説明したが、紙片の内容は、当該例に限らない。例えば、小切手４の裏面４ｂの画像を記録するようにしてもよく、また、磁気カードリーダーユニット２０による読み取り結果に基づく画像を記録するようにしてもよい。
また例えば、上述した実施形態では、再発行される紙片には、再発行の紙片であることを示す文字列（図６の例では、文字列「ｒｅｐｒｉｎｔ」。）が記録されるようになっていたが、これに限らず、例えば、所定のウォーターマークが記録されるようにしてもよい。この場合、紙片発行制御部７０ａは、第２バッファー７７ｂに記憶された画像データについて、記録すべきウォーターマークに対応した加工を行えばよい。
また例えば、本実施形態では、紙送りスイッチ７８ａと、クリーニングスイッチ７８ｂとを同時に操作することにより再発行の指示が可能であったが、再発行のトリガーとなる操作はこれに限らず、例えば、カバー１２を開けた状態で、いずれかのスイッチを操作する等であってもよい。すなわち、既存のスイッチを使用することにより、製造コストを削減できる。
また例えば、上述した実施形態では、複合処理装置１は、搬送路Ｗ上に、ＭＩＣＲヘッド３５、インクジェットヘッド１０、及び、ＣＩＳユニットが順次配置された構造であったが、装置の配置順番や、装置の具体的構造は、これに限らない。すなわち、本発明は、媒体を搬送する搬送部と、搬送部により搬送される媒体の情報を読み取る読取部と、紙片を発行する紙片発行部とを備える装置に広く適用可能である。
また例えば、図３に示す各機能ブロックはハードウェアとソフトウェアの協働により任意に実現可能であり、特定のハードウェア構成を示唆するものではない。
また例えば、制御部７０の機能を、複合処理装置１に外部接続される別の装置に持たせるようにしてもよい。
また、外部接続される記憶媒体に記憶させたプログラムを実行することにより、図４で示した各フローチャートの各ステップを実行するようにしてもよい。
【符号の説明】
【００５０】
１…複合処理装置、４…小切手（媒体）、５…ホストコンピューター（制御装置）、２６…ホッパー駆動モーター（搬送部）、２７…ＡＳＦモーター（搬送部）、３５…ＭＩＣＲヘッド（読取部）、４２…搬送モーター（搬送部）、４７…表面ＣＩＳユニット（読取部）、４８…裏面ＣＩＳユニット（読取部）、６０…サーマルプリンターユニット（紙片発行部）、７０…制御部（搬送部、読取部、受信部）、７０ａ…紙片発行制御部、７３…モータードライバー（搬送部）、７５…センサー駆動回路、７６…インターフェイス部（受信部）、７７ａ…第１バッファー（バッファー）、７７ｂ…第２バッファー（バッファー）、７８ａ…紙送りスイッチ（スイッチ）、７８ｂ…クリーニングスイッチ（スイッチ）。
【図１】
2013073500.tif 000003
【図２】
2013073500.tif 000004
【図３】
2013073500.tif 000005
【図４】
2013073500.tif 000006
【図５】
2013073500.tif 000007
【図６】
2013073500.tif 000008